(57)【要約】【課題】マットレスの体圧分散性になんらの影響を与えることなく、ボーダーワイヤーに起因した当たり感を容易且つ効果的に軽減させる。【解決手段】ポケットコイル３の集合体４を備えてなるコイルコンストラクョンと、コイルコンストラクションの水平面部４ａを覆う表地７と、表地７の内面側に備えられるフランジ状生地１１と、表地７と前記フランジ状生地１１との間に一部を納めるようにして備えられる緩衝用マット１２とを備えてなる。緩衝用マット１２は、帯状に成形したマット地であって、その外縁部１２ａと内縁部１２ｂとの間となる箇所を、第一周回縫着部１３よりも内方において表地７と前記フランジ状生地１１の双方に第二周回縫着部１４をもって縫着させてなる。【選択図】図３
2020146281.tif 000002
【特許請求の範囲】
【請求項１】
ポケットコイルの集合体と、前記ポケットコイルの集合体によって形成される水平面部を縁取るようにして前記ポケットコイルの集合体に備えられるボーダーワイヤーとを備えてなるコイルコンストラクョンと、
前記コイルコンストラクションの水平面部を覆う表地と、
前記表地の内面側に備えられるフランジ状生地と、
前記表地と前記フランジ状生地との間に一部を納めるようにして備えられる緩衝用マットとを備えてなり、
前記フランジ状生地は、帯状の生地であって、その外縁部を前記表地の縁部に前記表地の全周に亘って第一周回縫着部をもって縫着されると共に、その内縁部側を前記ボーダーワイヤーに対する止着部分としており、
前記緩衝用マットは、帯状に成形したマット地であって、その外縁部と内縁部との間となる箇所を、前記第一周回縫着部よりも内方において前記表地と前記フランジ状生地の双方に第二周回縫着部をもって縫着させてなる、ベッド用マットレス。
【請求項２】
前記緩衝用マットにおける前記第二周回縫着部よりも内方に位置される箇所が、前記ボーダーワイヤーの直上に位置されるようにしてなる、請求項１に記載のベッド用マットレス。
【発明の詳細な説明】
【技術分野】
【０００１】
この発明は、ポケットコイルの集合体を主体として構成されたベッド用のマットレスの改良に関する。
【背景技術】
【０００２】
複数のポケットコイル３（特許文献１参照）を寄せ集めてなる、輪郭を四角形状とする上下の水平面部４ａを備えた集合体４を、マットレス１の主体としてなるベッド用のマットレス１がある。
【０００３】
かかるマットレスにあっては、前記集合体４の上下にそれぞれ、金属製の線材からなるボーダーワイヤー５が取り付けられ、この集合体４とボーダーワイヤー５とによってコイルコンストラクション２が構成される。かかるボーダーワイヤー５は水平面部４ａを縁取るように配されると共に、ポケットコイル３を構成する圧縮コイルスプリング３ａを納めた生地を貫いて当該圧縮コイルスプリング３ａに止め付けられる金属リングを利用して取り付けられる。（図５、図６）
【０００４】
また、前記集合体４の水平面部４ａは表地７（パネルなどと称される。）によって覆われるとと共に、この表地７と水平面部４ａとの間には詰め物８が納められる。表地７の縁部７ａにはその全周にフランジ状生地１１が備えられており、表地７はコイルコンストラクション２に対し前記ボーダーワイヤー５を内側に通すようにした金属リング６を前記フランジ状生地１１に止め付けることで取り付けられている。
【先行技術文献】
【特許文献】
【０００５】
【特許文献１】特開２００１−２８９２７６号公報
【発明の概要】
【発明が解決しようとする課題】
【０００６】
しかるに、この種のポケットコイル３の集合体４を構成要素としたコイルコンストラクション２を主体としたマットレス１では、その縁部１’上に身体の一部が位置したとき、つまり、マットレス１の縁部１’上に横臥した体の一部が位置したり、マットレス１の縁部１’に座ったりした場合、前記ボーダーワイヤー５の当たり感を少なからず生じさせる。マットレス１の寝心地を向上させる観点からは、こうした当たり感の可及的な低減が求められるところであるところ、表地７のクッション性を高めたり（表地７内にプラスチックフォーム材などの詰め物を入れる。）、表地７とポケットコイル３の集合体４の水平面部４ａとの間の詰め物８を厚くするといった解決策は、ポケットコイル３の集合体４を構成要素とするコイルコンストラクション２を主体としたマットレス１の有用な特性の一つである体圧分散性を損なう。
【０００７】
この発明が解決しようとする主たる問題点は、この種のマットレスの体圧分散性になんらの影響を与えることなく、前記ボーダーワイヤーに起因した当たり感を容易且つ効果的に軽減させる点にある。
【課題を解決するための手段】
【０００８】
前記課題を達成するために、この発明にあっては、ベッド用マットレスを、ポケットコイルの集合体と、前記ポケットコイルの集合体によって形成される水平面部を縁取るようにして前記ポケットコイルの集合体に備えられるボーダーワイヤーとを備えてなるコイルコンストラクョンと、
前記コイルコンストラクションの水平面部を覆う表地と、
前記表地の内面側に備えられるフランジ状生地と、
前記表地と前記フランジ状生地との間に一部を納めるようにして備えられる緩衝用マットとを備えてなり、
前記フランジ状生地は、帯状の生地であって、その外縁部を前記表地の縁部に前記表地の全周に亘って第一周回縫着部をもって縫着されると共に、その内縁部側を前記ボーダーワイヤーに対する止着部分としており、
前記緩衝用マットは、帯状に成形したマット地であって、その外縁部と内縁部との間となる箇所を、前記第一周回縫着部よりも内方において前記表地と前記フランジ状生地の双方に第二周回縫着部をもって縫着させてなる、ものとした。
【０００９】
また、前記緩衝用マットにおける前記第二周回縫着部よりも内方に位置される箇所が、前記ボーダーワイヤーの直上に位置されるようにしておくことが、この発明の態様の一つとされる。
【発明の効果】
【００１０】
この発明にかかるベッド用マットレスによれば、この種のマットレスの体圧分散性になんらの影響を与えることなく、前記ボーダーワイヤーに起因した当たり感を容易且つ効果的に軽減させることができる。
【図面の簡単な説明】
【００１１】
【図１】図１は、この発明の一実施の形態にかかるマットレスの分解斜視構成図である。
【図２】図２は、前記マットレスの要部分解縦断面構成図である。
【図３】図３は、前記マットレスの要部縦断面構成図である。
【図４】図４は、図３のＡ部拡大図である。
【図５】図５は、従来のマットレスの要部分解縦断面構成図である。
【図６】図６は、従来のマットレスの要部縦断面構成図である。
【図７】図７は、従来のマットレスを並行配列した利用状態を示した側面構成図である。
【発明を実施するための形態】
【００１２】
以下、図１〜図７に基づいて、この発明の典型的な実施の形態について、説明する。この実施の形態にかかるベット用マットレス１は、複数のポケットコイル３を寄せ集めたもの、つまり、かかるポケットコイル３の集合体４をその主体として構成されたものである。
【００１３】
具体的には、この実施の形態にあっては、図１に示されるように、複数のポケットコイル３を並行配列させて、前記集合体４を構成させている。ポケットコイル３は、圧縮コイルスプリング３ａを圧縮させた状態で、ポケットに納めてなる。図示の例では、かかるポケットコイル３は、圧縮コイルスプリング３ａを納めた複数のポケットを、隣り合うポケット同士が納められた圧縮コイルスプリング３ａの側部側において繋がった状態で、連続的に備えてなる。かかるポケットコイル３は、筒状にした生地、典型的には合成樹脂製繊維より構成される不織布からなる生地内に圧縮コイルスプリング３ａを一つずつ納めながら、この筒状の生地に対し各圧縮コイルスプリング３ａの両側においてそれぞれその幅方向に沿った溶着部（図示は省略する。）を形成させることで、構成されている。すなわち、ポケットコイル３は、筒状にした前記生地に対してその長さ方向において隣り合う溶着部との間に間隔を開けて施された複数のこの溶着部によって区分された各空間（すなわち前記ポケット）内にそれぞれ圧縮コイルスプリング３ａを一つずつ納めてなる。典型的には、各圧縮コイルスプリング３ａは同寸同形であり、各ポケットは略同じ大きさとなっている。前記隣り合うポケット同士は前記溶着部において繋がっている。各ポケットに納められた各圧縮コイルスプリング３ａはいずれもスプリング巻回軸を前記筒状の生地の幅方向に沿わせている。図１に示される例では、このように構成される複数のポケットコイル３を、構成されるマットレス１の厚さ方向ｘ（上下方向）に圧縮コイルスプリング３ａのスプリング巻回中心軸が沿うように並行配列させ、隣り合うポケットコイル３同士をその側面において接着させ合わせることにより、前記集合体４を構成させている。
【００１４】
かかる集合体４は、寄せ集められたポケットコイル３の一端部により構成される輪郭を四角形状とする一方側の水平面部４ａと、寄せ集められたポケットコイル３の他端部により構成される輪郭を四角形状とする他方側の水平面部４ａと、寄せ集められたポケットコイル３のうちの外側に位置されるポケットコイル３の側面により構成される前記一方側および他方側の水平面部４ａ間に亘る厚さ側面部４ｂとを備えてなる。
【００１５】
かかる集合体４の一方側および他方側の水平面部４ａはそれぞれ、ボーダーワイヤー５により縁取られている。かかるボーダーワイヤー５は、典型的には、金属の線材から構成され、前記水平面部４ａの輪郭に沿った四角形の枠状を呈している。かかるボーダーワイヤー５は、典型的には、金属リングによって、前記集合体４を構成するポケットコイル３のうちの外側に位置されるポケットコイル３に止め付けられている。すなわち、Ｃ字状をなす金属リングの内側にボーダーワイヤー５を通すようにした状態でこの金属リングの開放端を前記生地に刺し込み且つこの金属リング内に圧縮コイルスプリング３ａの一部を位置させた状態から、この金属リングを屈曲させてこの金属リングの開放箇所を閉じることで、ボーダーワイヤー５を集合体４に取り付けさせている。前記集合体４と、このようにかかる集合体４に取り付けられるボーダーワイヤー５とによってマットレス１の主体となるコイルコンストラクション２が構成されている。
【００１６】
かかるコイルコンストラクション２における前記集合体４の一方側および他方側の水平面部４ａはそれぞれ、表地７によって覆われる。また、この表地７と集合体４の水平面部４ａとの間には、詰物８が納められる。さらに、前記集合体４の厚さ側面部４ｂはボーダー９と称される生地によって覆われる。このボーダー９の一方縁部は前記集合体４の一方側の水平面部４ａを覆う表地７の縁部７ａに止着され、このボーダー９の他方縁部は前記集合体４の他方側の水平面部４ａを覆う表地７の縁部７ａに止着される。図２中、符号１０で示すのは、表地７の縁部７ａとボーダー９の縁部とを包むクロージングテープであり、三者は縫着され、これにより、表地７とボーダー９とは止着される。
【００１７】
前記表地７はパネルなどとも称され、図示の例では、かかる表地７をキルティングによって構成させている。
【００１８】
詰物８は典型的にはマット状をなし、プラスチックフォーム材や不織布などが用いられる。図示の例では、表地７と集合体４の水平面部４ａとの間に一枚の詰め物８が納められているが、二枚以上の詰め物８が納められる場合もある。
【００１９】
前記表地７の内面側には、フランジ状生地１１が備えられている。また、前記表地７と前記フランジ状生地１１との間には、緩衝用マット１２が備えられている。緩衝用マット１２は、前記表地７と前記フランジ状生地１１との間にその一部を納めるようにして備えられている。
【００２０】
前記フランジ状生地１１は、帯状の生地であって、その外縁部１１ａを前記表地７の縁部７ａに前記表地７の全周に亘って第一周回縫着部１３をもって縫着されると共に、その内縁部１１ｂ側を前記ボーダーワイヤー５に対する止着部分としている。具体的には、フランジ状生地１１は、その一面を表地７の内面に接しさせた状態で、表地７の縁部７ａを周回するように表地７に前記第一周回縫着部１３をもって縫着される。フランジ状生地１１を構成する生地には、典型的には、不織布などが用いられる。なお、図１において符号１１’で示されるのは、フランジ状生地１１の端末同士の重なり合い部分である。
【００２１】
また、前記緩衝用マット１２は、帯状に成形したマット地であって、その一面を表地７の内面に接しさせた状態で、その外縁部１２ａと内縁部１２ｂとの間となる箇所を、前記第一周回縫着部１３よりも内方（マットレス１の中央側）において前記表地７と前記フランジ状生地１１の双方に前記表地７の全周に亘って第二周回縫着部１４をもって縫着させて、備えられたものとなっている。なお、図１において符号１２’で示されるのは、緩衝用マット１２の端末同士の重なり合い部分である。
【００２２】
具体的には、緩衝用マット１２も、表地７と前記フランジ状生地１１との間において、表地７の縁部７ａを周回するように表地７に備え付けられている。緩衝用マット１２を構成するマット地には、プラスチックフォーム材からなるマット地を用いるのが好ましい。また、緩衝用マット１２を構成するマット地として、プラスチックフォーム材製の帯状に成形したマット地の一面を補強用のプラスチックシートで覆ったものを用いることが好ましい態様の一つと認められた。かかるマット地として、プラスチックフォーム材製の帯状に成形したマット地の一面を割布などの補強用のプラスチックシートで覆ったものを用いる場合、かかるマット地とシートとを同質の合成樹脂から構成すると共に、両者を溶着により一体化することが好ましい。この場合、割布などの補強用のプラスチックシートは、コイルコンストラクション２を構成するポケットコイル３の集合体４の水平面部４ａ側に位置させるようにすることが好ましい。
【００２３】
典型的な一つの態様としては、表地７は外面生地をニット生地とし内面生地を不織布とし両者間に厚さ１９ｍｍ程度のウレタンフォーム材を納めた構造のものを、フランジ状生地１１としては幅８．５ｃｍ程度の帯状の不織布を、緩衝用マット１２としては厚さ４ｍｍ、幅５ｃｍ程度の帯状のマット地を用いることができる。
【００２４】
前記緩衝用マット１２及びフランジ状生地１１を備えた表地７は、コイルコンストラクョン２に対して、前記フランジ状生地１１の内縁部１１ｂを前記ボーダーワイヤー５に対し典型的には金属リング６によって止め付けることで、コイルコンストラクョン２と一体化される。すなわち、Ｃ字状をなす金属リング６の内側にボーダーワイヤー５を通すようにした状態でこの金属リング６の開放端を前記フランジ状生地１１の内縁部１１ｂ側に刺し込んだ状態から、この金属リング６を屈曲させてこの金属リング６の開放箇所を閉じることで、前記表地７をコイルコンストラクション２に取り付けさせている。
【００２５】
フランジ状生地１１は、前記第二周回縫着部１４と前記内縁部１１ｂとの間で、Ｃリングをもってボーダーワイヤー５に止着されるようになっている。すなわち、フランジ状生地１１の止着部分は、前記第二周回縫着部１４と前記内縁部１１ｂとの間である。
【００２６】
なお、図示の例では、構成されるマットレス１は、その厚さ方向ｘ中程の位置を中心とした一方側の構造に対し他方側の構造を対称となる構造としている。
【００２７】
以上に説明したコイルコンストラクション２を主体としたマットレス１では、その縁部１’上に身体の一部が位置したとき、つまり、マットレス１の縁部１’上に横臥した体の一部が位置したり、マットレス１の縁部１’に座ったりした場合、前記ボーダーワイヤー５の当たり感を少なからず生じさせる。マットレス１の寝心地を向上させる観点からは、こうした当たり感の可及的な低減が求められるところであるところ、表地７のクッション性を高めたり（表地７内にプラスチックフォーム材などの詰め物を入れる。）、表地７とポケットコイル３の集合体４の水平面部４ａとの間の詰め物８を厚くするといった解決策は、ポケットコイル３の集合体４を構成要素とするコイルコンストラクション２を主体としたマットレス１における体圧分散性を損なう。しかるに、この実施の形態にかかるマットレス１にあっては、前記ボーダーワイヤー５への表地７の止着に利用されるフランジ状生地１１を表地７に縫着させるときに両者間に前記緩衝用マット１２を介在させて前記表地７にフランジ状生地１１を縫着させることで、この種のマットレス１の体圧分散性になんらの影響を与えることなく、前記ボーダーワイヤー５に起因した当たり感を効果的に軽減させることが可能とされる。
【００２８】
前記緩衝用マット１２は、その外縁部１２ａと内縁部１２ｂとの間となる箇所を、前記第一周回縫着部１３よりも内方において前記表地７と前記フランジ状生地１１の双方に第二周回縫着部１４をもって縫着させて、備えられたものとなっていることから、前記第一縫着部と第二周回縫着部１４との間では表地７に止着されておらず、前記緩衝用マット１２の外縁部１２ａと第二周回縫着部１４との間に位置される部分１２ｃは、表地７を押し上げこの部分の直上の表地７に膨らみを付与する（図３、図４参照）。この結果、この実施の形態にかかるマットレス１にあっては、前記第一周回縫着部１３及び第二周回縫着部１４に起因したマットレス１の縁部の落ち込み、すなわち、マットレス１の中央側のレベルとマットレス１の縁部１’側のレベルとの寸法差ｙ（図４参照）を軽減させることができる。これにより、この実施の形態にかかるマットレス１にあっては、かかるマットレス１を左右に並行配列して、例えば、夫婦と子供一人の三人が同時に利用可能なベッドを構成するようなとき（いわゆるツイン）、左右のマットレス１間にできるだけ落ち込みが生じないようにすることができる。すなわち、この実施の形態にかかるマットレス１にあっては、このような場合に、例えば、図７に示すようなセンターパッド１５を用いなくても、三人の真ん中で就寝する者の寝心地にできるだけ影響が生じないようにすることができる。
【００２９】
また、この実施の形態にあっては、前記緩衝用マット１２における前記第二周回縫着部１４よりも内方に位置される箇所１２ｄ、つまり、外縁部１２ａと内縁部１２ｂの間となる箇所１２ｄが、前記ボーダーワイヤー５の直上に位置されるようになっている。これにより、緩衝用マット１２は、ボーダーワイヤー５の直上に位置される前記箇所では圧縮されておらず、前記当たり感を軽減するに十分な弾性変形特性を備える。
【００３０】
なお、当然のことながら、本発明は以上に説明した実施態様に限定されるものではなく、本発明の目的を達成し得るすべての実施態様を含むものである。
【符号の説明】
【００３１】
２  コイルコンストラクション
３  ポケットコイル
４  集合体
４ａ  水平面部
７  表地
１１  フランジ状生地
１２  緩衝用マット
１２ａ  外縁部
１２ｂ  内縁部
１３  第一周回縫着部
１４  第二周回縫着部
【図１】
2020146281.tif 000003
【図２】
2020146281.tif 000004
【図３】
2020146281.tif 000005
【図４】
2020146281.tif 000006
【図５】
2020146281.tif 000007
【図６】
2020146281.tif 000008
【図７】
2020146281.tif 000009